(57)【要約】結合された信号送信／受信部を持つワイヤレストランシーバ、信号をワイヤレスで、第１及び第２のプロトコルに従って送信及び受信するための複数の信号アップ／ダウンコンバージョン部、を備えたワイヤレス装置が提供される。ワイヤレス装置は更に、共同作用を持つやり方で、２つのプロトコルに従って、送信動作及び受信動作を制御及び実行するための制御器／信号処理部を備える。種々の実施例で、ワイヤレス装置は更に、送信及び受信動作の、共同作用を持つ制御及び実行を促進するために、タイムシェアリングスケジュールを実行するようにプログラムされたプロセサを備える。
2004518308.tif 000002
【特許請求の範囲】
【請求項１】
第１の及び第２のプロトコルに従って、共同作用を持つやり方で、第１の及び第２のワイヤレスネットワークのネットワーク装置へ及び当該ネットワーク装置から、信号を送信し受信するために、結合された信号送信／受信部及び前記結合された信号送信／受信部を共有する複数の信号アップ／ダウンコンバージョン部、を持つワイヤレストランシーバ、及び、
前記共同作用を持つやり方で、前記送信及び受信を実行するために、前記ワイヤレストランシーバを制御するために、上記ワイヤレストランシーバに結合された制御器、を備えた装置。
【請求項２】
第２の信号アップコンバージョン部を上記結合された信号送信／受信部から分離し、信号が、前記第２のワイヤレスネットワークの一つあるいは複数のネットワーク装置に送信されるのを防ぐことで、前記第１のワイヤレスネットワークの、一つあるいは複数のネットワーク装置への、信号の前記送信を実行するために、共同作用を持つやり方で、上記制御器が選択的に第１の信号アップコンバージョン部を上記結合された信号送信／受信部に結合する、請求項１に記載の装置。
【請求項３】
上記第１の信号アップコンバージョン部を上記結合された信号送信／受信部から分離した状態を維持することによって、信号が、前記第１のワイヤレスネットワークの、一つあるいは複数のネットワーク装置に送信されるのを防ぎつつ、
前記第２のワイヤレスネットワークの、一つあるいは複数のネットワーク装置への、信号の前記送信を実行するために、共同作用を持つやり方で、上記制御器が更に、選択的に第２の信号アップコンバージョン部を上記結合された信号送信／受信部に結合する、請求項２に記載の装置。
【請求項４】
信号が、前記第１及び第２のネットワークのネットワーク装置に送信されることを防ぐために、共同作用を持つやり方で、上記制御器が、第１と第２の信号アップコンバージョン部の双方を、上記結合された信号送信／受信部から選択的に分離する、請求項１に記載の装置。
【請求項５】
上記装置が更に、前記ワイヤレストランシーバによる、前記ワイヤレスネットワークの前記ネットワーク装置への送信のために、データを処理するために、そして、前記ワイヤレストランシーバによって、前記ワイヤレスネットワークの前記ネットワーク装置から受信された信号を、共同作用を持つやり方で、前記制御器の上記制御の下で、処理するために、前記ワイヤレストランシーバ及び前記制御器に結合された信号処理部を備えた、請求項１に記載の装置。
【請求項６】
上記制御器が、上記信号処理部が同時に、前記ワイヤレスネットワークのネットワーク装置から受信され、上記ワイヤレストランシーバの信号ダウンコンバージョン部によってダウンコンバートされた信号を処理することを可能とし、上記信号処理部の、上記ワイヤレストランシーバの前記ダウンコンバージョン部による信号出力の処理を停止する、請求項５に記載の装置。
【請求項７】
上記制御器が上記ワイヤレストランシーバを制御して、共同作用を持つやり方で、タイムシェアリングスケジュールに従って、前記送信及び受信を実行する、請求項１に記載の装置。
【請求項８】
上記制御器が、上記第１のプロトコルのために第１の送信モードで、上記第２のプロトコルのために第２の送信モードで、そして双方のプロトコルのために結合された受信モードで、上記タイムシェアリングスケジュールに従って、上記ワイヤレストランシーバを制御する機能を有するプロセッサを備える、請求項７に記載の装置。
【請求項９】
上記プロセッサが更に、適応的に上記タイムシェアリングスケジュールを管理する機能を有する、請求項８に記載の装置。
【請求項１０】
上記プロセッサが更に、前記第１の及び第２のワイヤレスネットワークの、送信負荷あるいは受信負荷の少なくとも一部分に基づいて、適応的に上記タイムシェアリングスケジュールを管理する機能を有する、請求項９に記載の装置。
【請求項１１】
上記プロセッサが更に、前記第１及び第２のワイヤレスネットワークの送信あるいは受信負荷を、モニターし、追跡する機能を有する、請求項１０に記載の装置。
【請求項１２】
上記第１及び上記第２のプロトコルが、ブルートゥース，８０２．１１，８０２．１１ａ，８０２．１１ｂ，及びホームＲＦ、からなるグループから選択された２つのプロトコルである、請求項１に記載の装置。
【請求項１３】
上記結合された信号送信／受信部が、結合されたＲＦ送信／受信部であり、上記複数の信号アップ／ダウンコンバージョンの組がＩＦアップ／ダウンコンバージョン部である、請求項１に記載の装置。
【請求項１４】
上記装置が、デスクトップタイプ，ノートブックタイプ，及び，パームサイズタイプ、からなるグループから選択された形式要素を持つコンピュータである、請求項１に記載の装置。
【請求項１５】
上記制御器が更に、上記第１及び第２のプロトコルに従って送信するための、送信データを処理するための、第１及び第２の送信信号処理部を備え、そして、上記第２の送信信号処理部が上記信号アップコンバージョン部から分離された状態を維持することで、信号が、前記第２のワイヤレスネットワークの一つあるいは複数のネットワーク装置に送信されるのを防ぎつつ、上記制御器が、共同作用を持つやり方で、信号の、前記第１のワイヤレスネットワークの一つあるいは複数のネットワーク装置への前記送信を実行するために、選択的に信号アップコンバージョン部を上記第１の送信信号処理部に結合する、請求項１に記載の装置。
【請求項１６】
上記信号アップコンバージョン部が上記第１の送信信号処理部から分離された状態を維持することで、信号が、前記第１のワイヤレスネットワークの一つあるいは複数のネットワーク装置に送信されることを防ぎつつ、上記制御器が更に、共同作用を持つやり方で、信号の、前記第２のワイヤレスネットワークの一つあるいは複数のネットワーク装置への前記送信を実行するために、上記信号アップコンバージョン部を上記第２の送信信号処理部に選択的に結合する、請求項１５に記載の装置。
【請求項１７】
結合された信号送信／受信部を含むワイヤレストランシーバ、及び、上記結合された信号送信／受信部を共有する複数の信号アップ／ダウンコンバージョン部を持つ装置における、動作方法であって、
（ａ）第２の信号アップコンバージョン部が上記結合された信号送信／受信部から分離された状態を維持することで、信号が、第２のプロトコルに従って、第２のワイヤレスネットワークの一つあるいは複数のネットワーク装置に送信されることを防ぎつつ、第１のプロトコルに従って、信号の、第１のワイヤレスネットワークの一つあるいは複数のネットワーク装置への送信を実行するために、第１の信号アップコンバージョン部を上記結合された信号送信／受信部に結合し、そして、
（ｂ）上記第１の信号アップコンバージョン部が上記結合された信号送信／受信部から分離された状態を維持することで、上記第１のプロトコルに従って、信号が、上記第１のワイヤレスネットワークの一つあるいは複数のネットワーク装置に送信されることを防ぎつつ、上記第２のプロトコルに従って、信号の、上記第２のワイヤレスネットワークの一つあるいは複数のネットワーク装置への送信を実行するために、上記第２の信号アップコンバージョン部を上記結合された信号送信／受信部に結合するステップ、
を含む方法。
【請求項１８】
上記装置が更に、前記ワイヤレストランシーバによる、前記ワイヤレスネットワークの前記ネットワーク装置への送信のためのデータを処理するために、そして、前記ワイヤレストランシーバによって、前記ワイヤレスネットワークの前記ネットワーク装置から受信された信号を、共同作用を持つやり方で、処理するために、前記ワイヤレストランシーバに結合された信号処理部を備え、そして、
上記方法が更に、上記信号処理部が、同時に、前記ワイヤレスネットワークの前記ネットワーク装置から受信され、そして、上記ワイヤレストランシーバの信号ダウンコンバージョン部によってダウンコンバートされた信号を処理することを可能とし、そして、上記信号処理部が、上記ワイヤレストランシーバの前記ダウンコンバージョン部による信号出力を処理することを停止する、
請求項１７に記載の方法。
【請求項１９】
上記方法が更に、（ａ）（ｂ）の実行反復を調整するステップ（ｃ）を含む、
、請求項１７に記載の方法。
【請求項２０】
上記第１及び第２のネットワークの、送信負荷あるいは受信負荷の少なくとも一部に基づいて、（ｃ）が適応的に実行される、請求項１９に記載の方法。
【請求項２１】
上記方法が更に、前記第１及び第２のネットワークの、送信負荷あるいは受信負荷をモニタするステップ（ｄ）を含む、請求項２０に記載の方法。
【請求項２２】
複数の信号アップ／ダウンコンバージョン部、及び、第１及び第２の送信信号処理部を持つ制御部を含むワイヤレストランシーバを持つ装置における、動作の方法であって、
（ａ）上記信号アップコンバージョン部が第２の送信信号処理部から分離された状態を維持することで、第２のプロトコルに従って、信号が、第２のワイヤレスネットワークの一つあるいは複数のネットワーク装置に送信されることを防ぎつつ、第１のプロトコルに従って、信号の、第１のワイヤレスネットワークの一つあるいは複数のネットワーク装置への送信を実行するために、信号アップコンバージョン部を第１の送信信号処理部に結合し、そして、
（ｂ）上記信号アップコンバージョン部が上記第１の送信信号処理部から分離された状態を維持することで、上記第１のプロトコルに従って、信号が、上記第１のワイヤレスネットワークの一つあるいは複数のネットワーク装置に送信されることを防ぎつつ、上記第２のプロトコルに従って、信号の、上記第２のワイヤレスネットワークの一つあるいは複数のネットワーク装置への送信を実行するために、上記信号アップコンバージョン部を上記第２の送信信号処理部に結合するステップを含む方法。
【請求項２３】
第１のプロトコルに従って、ワイヤレスに通信する機能を有する第１の装置、
第２のプロトコルに従って、ワイヤレスに通信する機能を有する第２の装置、及び、
上記第３の装置が、前記第１及び第２の装置と同時に動作することを可能とするために、前記２つのプロトコルに従ってなされる、送信動作及び受信動作を自動的に調整する機能を有するだけでなく、それぞれ前記第１及び第２のプロトコルに従って、前記第１及び第２の装置と、ワイヤレスに通信する機能を有する第３の装置を備えた、装置の集合。
【請求項２４】
上記第３の装置が更に、上記２つのプロトコルの、送信負荷あるいは受信負荷の少なくとも一部に基づいて、前記２つのプロトコルに従って、適応的なやり方でなされる、送信動作及び受信動作の前記自動調整を実行する機能を有する、請求項２３に記載の装置の集合。
【請求項２５】
上記第３の装置が更に、上記２つのプロトコルの送信負荷あるいは受信負荷をモニターする機能を有する、請求項２４に記載の装置の集合。
【請求項２６】
ワイヤレスに一緒にネットワーク化された第１の複数の装置であって、第１のプロトコルに従って、各装置がワイヤレスに通信する機能を有する第１の複数の装置、
ワイヤレスに一緒にネットワークされた第２の複数の装置であって、第２のプロトコルに従って、各装置がワイヤレスに通信する機能を有する第２の複数の装置、及び、
マスター装置が、前記第１及び第２の複数の装置を同時に管理及び制御することを可能とするために、前記２つのプロトコルに従ってなされる、送信動作及び受信動作を自動的に調整する機能を有するだけでなく、それぞれ前記第１及び第２のプロトコルに従って、前記第１及び第２の複数の装置とワイヤレスに通信する機能を有するマスター装置、
を備えた、ネットワーク化された装置の集合。
【請求項２７】
上記マスター装置が更に、上記２つのプロトコルの、送信負荷あるいは受信負荷の少なくとも一部に基づいて、前記２つのプロトコルに従って、適応的なやり方でなされる、送信動作及び受信動作の前記自動調整を実行する機能を有する、請求項２６に記載のネットワーク化された装置の集合。
【請求項２８】
上記マスター装置が更に、上記２つのプロトコルの送信負荷あるいは受信負荷をモニターする機能を有する、請求項２７に記載のネットワーク化された装置の集合。
【請求項２９】
ワイヤレスに一緒にネットワーク化された第１の複数の装置であって、各装置が、第１のプロトコルに従ってワイヤレスに通信する機能を有する第１の複数の装置、
ワイヤレスに一緒にネットワーク化された第２の複数の装置であって、各装置が、第２のプロトコルに従ってワイヤレスに通信する機能を有する第２の複数の装置、及び、
上記ゲートウェイ装置が前記第１の複数の装置と前記第２の複数の装置との間の通信を促進することを可能とするために、前記２つのプロトコルに従ってなされる送信動作及び受信動作を自動的に調整する機能を有するだけでなく、それぞれ前記第１及び第２のプロトコルに従って、前記第１及び第２の複数の装置と、ワイヤレスに通信する機能を有するゲートウェイ装置、
を備えたネットワーク化された装置の集合。
【請求項３０】
上記ゲートウェイ装置が更に、前記２つのプロトコルに従って、上記２つのプロトコルの送信負荷あるいは受信負荷の少なくとも一部に基づいて、適応的なやり方でなされる、送信動作及び受信動作の前記自動調整を実行する機能を有する
、請求項２９に記載のネットワーク化された装置の集合。
【請求項３１】
上記ゲートウェイ装置が更に、上記２つのプロトコルの送信負荷あるいは受信負荷をモニターする機能を有する、請求項３０に記載のネットワーク化された装置の集合。
【発明の詳細な説明】
【０００１】
【発明の属する技術分野】
本発明は、ワイヤレス通信の分野に関する。より詳細には、本発明は、異なるワイヤレス通信プロトコルに加入する、多数の通信パートナーによる同時ワイヤレス通信の問題に関する。
【０００２】
【従来の技術】
マイクロプロセッサ及び通信技術の進歩によって、ワイヤレス通信の人気が増加した。一旦その恩恵にあずかると、ワイヤレス音声通信は、大衆に入手容易で利用可能となった。今日では、クライエント、サーバ等を接続するために用いられるネットワーキングケーブルに加えて、プリンタ、スキャナのような、周辺装置を接続するために用いられる付加ケーブルに取って代わるためにワイヤレス通信を適用するために、種々の努力がなされている。前者を達成するための、最も進んでいる候補は、ブルートゥース（Ｂｌｕｅｔｏｏｔｈ）技術、あるいはブルートゥースプロトコルとして当業者に共通に知られている。後者を達成するための技術の例には、当業者に共有ワイヤレスアクセスプロトコル（Ｓｈａｒｅｄ Ｗｉｒｅｌｅｓｓ Ａｃｃｅｓｓ Ｐｒｏｔｏｃｏｌ（ＳＷＡＰ））としても知られるホームＲＦに加えて、アメリカ電気・電子通信学会によって出版されたＩＥＥＥ８０２．１１スタンダード、８０２．１１（周波数ホッピング及び直接手順）、８０２．１１ａ、８０２．１１ｂの異なる派生物が含まれる。
【０００３】
多くの応用分野で、マルチプルワイヤレスプロトコルにおいて、装置にとって“同時に”動作することが望ましい、という必要性が産まれてきた。そのような応用の一つは、ブルートゥースプロトコルに従って、プリンタ、スキャナ等のような周辺装置と通信可能な、及び、８０２．１１プロトコルあるいはホームＲＦの一つに従って、他のピアコンピュータあるいはサーバ、モデムやアダプタのような通信装置、及び、ゲートウェイ、ルータ、スイッチャ等のようなネットワーキング装置、のような他のコンピュータ装置と通信可能なノートパソコンを持つことである。
【０００４】
しかし、単に装置に、各プロトコルに対する一つずつの、マルチプル送信機を提供することによっては、この必要性は満たされない。その理由は、これらの送信機のうち多数が同時に送信する場合がある、ということである。送信機はお互いに干渉することになり、結果として、性能の低下に加えて、データの劣化及び／又はロスをもたらす。
【０００５】
以下に詳述するように、本発明は実質的に、非常に効率的かつ低コストになる態様で、この必要性に取り組むものである。本発明の、これと、その他の利点は、以下の記述からはっきりされるであろう。
【０００６】
【発明の概要】
ワイヤレス装置は、第１及び第２のプロトコルに従って、信号をワイヤレスで送信し、受信するために、結合された信号送信／受信部を持つワイヤレストランシーバを備える。一つの実施例では、ワイヤレス装置は更に、２つのプロトコルに従って、それに対応して送信及び受信信号をアップコンバート及びダウンコンバートするための、第１及び第２のアップ／ダウン・コンバージョン（変換）の組を備える。別の実施例では、ワイヤレス装置は、それに対応して受信信号をダウンコンバートするための、第１及び第２のダウンコンバージョンユニット、及び、２つのプロトコルに従って送信信号をアップコンバートするための、共有アップコンバージョン部を備える。いずれのケースでも、ワイヤレス装置は更に、２つのプロトコルに従って、共同作用を持つ送信及び受信動作を、制御及び実行させるための、制御器／信号処理部を備える。
【０００７】
種々の実施例で、ワイヤレス装置は更に、送信及び受信動作の、共同作用を持つ制御及び実行、を促進するために、タイムシェアリングスケジュールを実行するためにプログラムされたプロセッサを備える。これらの実施例のいくつかで、少なくとも観察された負荷の一部に基づいて、２つのプロトコルの送信及び受信負荷をモニタし、共同作用を持つ制御及び信号処理を適応的に実行するために、プロセッサは更にプログラムされる。
【０００８】
種々の実施例で、プロトコルは選択されたブルートゥース、８０２．１１、８０２．１１ａ、８０２．１１ｂ、ホームＲＦ等の組、でありうる。ワイヤレス装置はまた、ワイヤレスネットワークのマスター装置あるいはゲートウェイ装置として使用され得る。
【０００９】
本発明は付属の図面に示される模範的実施例を用いて説明されるが、それに限定されない。図中の参照番号は、同様の要素については同じ番号が付される。
【００１０】
【発明の実施の形態】
以下の記述では、種々の本発明の面が述べられる。しかし、当業者によって、本発明の一部のみ、あるいはその全体が実施され得ることは明らかである。説明の目的のために、本発明の完全な理解をしてもらう目的で、特定の数、材料、及び構成が設定される。しかし、本発明が、その特定の詳細部分無しに実施され得ることもまた当業者にとって明白である。他の場合には、本発明を不明確としないために、良く知られた特徴は除去され、あるいは、簡易化される。
【００１１】
記述のいくつかの部分は、彼らの仕事の実体を他の当業者に伝えるために当業者によってよく使われる、ソフトウェア用語を用いて示される。当業者によって良く理解されるように、これらのソフトウェア量は、格納，移動，結合，及び、さもなければ、デジタルシステムの機械的及び電気的構成要素を通して動作され得る、電気、磁気、あるいは光信号の形式を取る。そしてデジタルシステムなる用語は、特定の目的のプロセッサ、システム等に加えて、一般的目的のものを含む（これらはスタンドアロン、隣接、あるいは埋め込み、である）。
【００１２】
種々の動作は、本発明の理解に最も役立つやり方で、順番に実行されるマルチプル離散的ステップとして記述される。しかし、記述の順序は、これらの動作が必ずその順序（特にステップが提供される順序）に依存するという意味を持つ、と解釈されるべきではない。更に、用語“一つの実施例では”が繰り返し用いられるが、この用語は必ずしも、同じ実施例を意味しないし、意味するかもしれない。
【００１３】
図１を参照する。ここで、一つの実施例による本発明の概略が示される。図示のように、ワイヤレス装置１００は、本発明のワイヤレストランシーバ１０２を備え、第１及び第２のワイヤレス通信プロトコルに従って、共同作用を持って、装置１００が、ワイヤレスネットワーク１０８ａ及び１０８ｂの装置群１０４ａ及び装置群１０４ｂと、実質的に同時に通信することを可能とするために、信号をワイヤレスで送信及び受信する。ワイヤレストランシーバ１０２は、結合された信号送信／受信部１０３を含み、図示された実施例について、第１及び第２の信号アップ／ダウンコンバージョンの組１０５ａ−１０５ｂが結合された信号送信／受信部１０３を共有する。ワイヤレス装置１００は更に、制御器／信号処理（Ｃ／ＳＰ）部１０６を含み、これは、ワイヤレストランシーバ１０２により送信し、ワイヤレストランシーバ１０２によって受信された信号を処理し、ワイヤレストランシーバ１０２の動作の制御に加えて、データ／信号処理動作を制御するためにデータを制御する。
【００１４】
一つの実施例で、Ｃ／ＳＰ部１０６は、データ／信号処理動作及びワイヤレストランシーバ１０２（以後、単に「トランシーバ」と呼ぶ。）を、同期のとれた、共同作を持つやり方で（ｉｎ ａ ｃｏｏｒｄｉｎａｔｅｄ ｍａｎｎｅｒ）制御する。さらに詳細には、この実施例では、Ｃ／ＳＰ部１０６は、データ処理動作及びトランシーバ１０２を制御し、２つのワイヤレス通信プロトコルから選択された一つと、双方のプロトコルの受信との間を切替える。図２は、この実施例による動作の周期を示す。これによると、周期Ｔ１で、期間ｔ１について、Ｃ／ＳＰ部１０６は、結合された信号送信／受信部１０３及び信号アップ／ダウンコンバージョンの組１０５ａ−１０５ｂを動作させ、第１のワイヤレス通信プロトコル（以下、単に「プロトコル」と呼ぶ。）に従って、ネットワーク１０８ｂの装置１０４ｂを排除して、ワイヤレスネットワーク１０８ａ（以後、単に「ネットワーク」と呼ぶ。）の装置１０４ａへの信号の送信を実行させる。この期間中、Ｃ／ＳＰ部１０６はまた、一時的に、信号アップ／ダウンコンバージョンの組１０５ａ−１０５ｂの信号ダウンコンバージョン部からの信号出力の処理を停止する。この周期Ｔ３では、期間ｔ３について、第２のプロトコルに対して動作が実行される。即ち、Ｃ／ＳＰ部１０６は、結合された信号送信／受信部１０３及び信号アップ／ダウンコンバージョンの組１０５ａ−１０５ｂを動作させ、第２のプロトコルに従って、ネットワーク１０８ａの装置１０４ａを排除して、ネットワーク１０８ｂの装置１０４ｂへの信号の送信を実行させる。そして、同様に、一時的に、信号アップ／ダウンコンバージョンの組１０５ａ−１０５ｂの信号ダウンコンバージョン部からの信号出力の処理を停止する。周期Ｔ２及びＴ４について、それぞれ期間ｔ２及びｔ４に対して、Ｃ／ＳＰ部１０６は、信号アップ／ダウンコンバージョンの組１０５ａ−１０５ｂの双方のダウンコンバージョン部によって信号出力を処理し、ネットワーク１０８ａ−１０８ｂの装置１０４ａ−１０４ｂから、それぞれのプロトコルに従って信号を受信する。これらの期間中、Ｃ／ＳＰ部１０６は一時的に、ネットワーク１０８ａ及び１０８ｂの装置１０４ｂに加えて装置１０４ａへの信号の送信を停止する。
【００１５】
全てのワイヤレスプロトコルが、キャリアセンス（ｃａｒｒｉｅｒ ｓｅｎｓｅ）あるいはコンテンションフリー（ｃｏｎｔｅｎｔｉｏｎ ｆｒｅｅ）プロトコルのいずれか動作するので、装置１０４ａは、周期Ｔ１内に受信でき、送信すべきパケットが存在するときに送信でき、さもなければ、周期Ｔ２−Ｔ４に受信する。同様に、装置１０４ｂは、周期Ｔ３内に、受信でき、送信すべきパケットが存在するときに送信でき、さもなければ、周期Ｔ１−Ｔ４内に受信する。
【００１６】
このようにして、ワイヤレス装置１００は、ネットワーク１０８ａ及び１０８ｂの装置１０４ａ及び１０４ｂとともに、２つのワイヤレスプロトコルで同時に動作できる。
【００１７】
周期Ｔ１−Ｔ４は、周期が等しいかもしれず、等しくないかもしれないことを理解して欲しい。即ち、数値的に、ｔ１−ｔ４は等価かもしれず、等価でないかもしれない。以下に更に詳細に説明されるように、この実施例の異なる変形で、周期Ｔ１−Ｔ４の期間ｔ１−ｔ４は、動的に、かつ適応的に設定される。特に、いくつかの変形では、周期Ｔ１−Ｔ４の期間ｔ１−ｔ４は、少なくとも部分的に、ネットワーク１０８ａ及び１０８ｂの送信及び受信負荷に基づいて、適応的に設定される。
【００１８】
図１を再び参照する。Ｃ／ＳＰ部１０６の動作の上述の共同作用を持つやり方を有効にするためにワイヤレス装置１００に取りこまれる本発明の教示を除くと、結合された信号送信／受信部１０３及びトランシーバ１０２の信号アップ／ダウンコンバージョンの組１０５ａ−１０５ｂ、Ｃ／ＳＰ部１０６、結合された送信／受信部１０３、及びトランシーバの信号アップ／ダウンコンバージョンの組１０５ａ−１０５ｂについては、周知技術中の広い範囲のものを表すことが意図される。このように、以下に更に詳述される、本発明の教示を除いて、トランシーバ１０２及びＣ／ＳＰ部１０６は、別な方法で更には詳述されない。
【００１９】
ワイヤレス装置１００は、ワイヤレスで他のワイヤレス装置と、２つあるいはそれ以上のワイヤレス通信プロトコルで、同時に動作する能力を持つことによって利益をもたらす、広い範囲の装置を表すことが意図される。装置１００の例には、デスクトップ、ノートブック、手の平サイズ等、のような、種々の形式要素（ｆｏｒｍ ｆａｃｔｏｒｓ）のコンピュータ、ネットワーク１０８ａ及び１０８ｂの動作を管理及び制御するための制御装置（即ちマスター装置）、装置１０４ａ及び装置１０４ｂ間の通信を促進するためのゲートウェイ装置、が含まれるが、これに限定されない。
【００２０】
同様に、装置１０４ａ−１０４ｂは、ワイヤレスに通信することによって、利益をもたらすことのできる広い範囲の装置を表すことが意図される。装置１０４ａの例には、ブルートゥースプロトコルに従って、ワイヤレスに通信するような機能を有する（ｅｑｕｉｐｐｅｄ ｔｏ）、電話機、ビデオカメラ、スピーカ、モデム、プリンタ、及びスキャナが含まれるが、これには限定されない。装置１０４ｂの例には、ＩＥＥＥ８０２．１１プロトコルあるいはホームＲＦの、選択されたバリアント（ｖａｒｉａｎｔ）に従って、ワイヤレスで通信する機能を有する、ゲートウェイ、モデム、ハブ、ルータ、及びスイッチャ、に加えて、クライエント及びサーバが含まれる。これらの模範的実施例で、結合された送信／受信部１０３は、結合されたＲＦ送信／受信部であり、各信号アップ／ダウンコンバージョンの組１０５ａ／１０５ｂは、ＩＦアップ／ダウンコンバージョンの組である。
【００２１】
理解を容易にするために、第１及び第２のワイヤレス通信プロトコル（トランシーバ１０２のアップ／ダウンコンバージョン部１０５ａ−１０５ｂによってサポートされている）に従って通信する２つのグループの装置１０４ａ及び１０４ｂだけが、図１に示される。しかし、以下の記述から、付加的プロトコルに対する、付加的信号アップ／ダウンコンバージョン部を採用することによって、それらが同様に共同作用を持つようになされている限り、当業者にとって、本発明が、２つのプロトコルより多くのプロトコルで実施され得ることが明らかである。
【００２２】
図３を参照する。ここで、トランシーバ１０２は、一つの具体例に従って、更に詳細に示される。先述したように、トランシーバ１０２は、結合された信号送信／受信部１０３、結合された送信／受信部１０３を共有する第１及び第２の信号アップ／ダウンコンバージョンの組１０５ａ−１０５ｂを含む。図示され、先に暗示されたように、結合された信号送信／受信部１０３は、図示されるように結合された、スイッチ３０２、ローノイズアンプ（ＬＮＡ）３０４、パワーアンプ（ＰＡ）３０６、及びフィルタ３０８ａ−３０８ｂを持つ、先行技術の送信／受信部と同様に構成される。これらの要素の機能及び構成は、周知技術である。各信号アップ／ダウンコンバージョン部１０５ａ／１０５ｂはまた、先行技術と同様に構成され、信号アップコンバージョンサブセクション３１６ａ／３１６ｂ及び信号ダウンコンバージョンサブセクション３１４ａ／３１４ｂを持ち、関心事である異なった周波数の信号のアップコンバージョン及びダウンコンバージョンをする。同様に、これらののアップコンバージョン及びダウンコンバージョンのサブセクションの機能及び構成はまた、周知技術である。一つの実施例で、結合された送信／受信部１０３は、高周波（ｒａｄｉｏ ｆｒｅｑｕｅｎｃｙ）で動作する、先述の結合されたＲＦ送信／受信部であり、ここで、第１及び第２の信号アップ／ダウンコンバージョンの組１０５ａ／１０５ｂは、中間周波数で動作する、先述のＩＦアップ／ダウンコンバージョンの組である。
【００２３】
本発明に従って、アップ／ダウンコンバージョンの組１０５ａ−１０５ｂのダウンコンバージョン・サブセクション３１４ａ−３１４ｂは、結合された信号送信／受信部１０３に、スプリッタ３１０を介して並列に結合（ｃｏｕｐｌｅ）される。即ち、フィルタ３０８ａによる受信信号出力は、これらの、それぞれの関心の対象の周波数内でダウンコンバージョンし、異なる周波数あるいはプロトコルで送信された受信信号を同時に受信させることを許容するために、ダウンコンバージョン・サブセクション３１４ａ−３１４ｂの双方に供給される。アップ／ダウンコンバージョンの組１０５ａ−１０５ｂのアップコンバージョン・サブセクション３１６ａ−３１６ｂの場合には、それらは、選択的に、スイッチ３１２を介して結合された信号送信／受信部１０３に結合される。即ち、それらのそれぞれの周波数で動作する、アップコンバージョン・サブセクション３１４ａ−３１４ｂからの送信信号は、選択的に、送信の準備として、他方を排除した状態で（その結果、関心の対象の一つの周波数（あるいはプロトコル）からの信号だけが、いかなる時点でも送信されることになる）、フィルタするために、フィルタ３０８ｂに提供される。
【００２４】
図４を参照する。ここで、Ｃ／ＳＰ部１０６の信号処理サブセクションが、一つの具体例に従って、更に詳細に図示される。図示されるように、Ｃ／ＳＰ部１０６信号処理サブセクション４０２は、メモリ４０２、第１及び第２のプロトコルに対する第１及び第２の受信信号処理ブロック４０４ａ−４０４ｂ、第１及び第２のプロトコルに対する第１及び第２の送信データ処理ブロック４０６ａ−４０６ｂ、及び、Ｄ／Ａコンバータ４１０ａ−４１０ｂに加えてＡ／Ｄコンバータ４０８ａ−４０８ｂ、を含む。これらの要素は、先行技術で知られる、それらの通常の機能を実行し、これらの構成はプロトコルに依存する。つまり、それらがサポートするように設計／構成されたプロトコル（例えば８０２．１１バリアントあるいはブルートゥース等）に依存する。Ａ／Ｄ及びＤ／Ａコンバータ４０８ａ−４０８ｂ及び４１０ａ−４１０ｂは、アナログ信号をデジタル信号に、そして、デジタル信号をアナログに、それぞれコンバートする。第１及び第２の受信信号処理ブロック４０４ａ−４０４ｂは、それらのそれぞれのプロトコルに従って、デジタル化された受信信号を処理し、受信されたデータを抽出し、抽出された受信データをメモリ４０２に記憶する。第１及び第２の送信データ処理ブロック４０６ａ−４０６ｂは、メモリ４０２に記憶された送信データを処理し、それらをパッケージ化し、それぞれ第１及び第２のプロトコルに従って、変換し、その後送信する（例えば、ヘッダ、チェックサム等を付加することによって）。実質的に同時の、２つのプロトコルでのワイヤレス装置による通信を実現するために、それらが有利に用いられるやり方を除いて、これらの要素は周知である。一つの実施例で、受信及び送信信号処理ブロック４０４ａ及び４０６ａは、受信信号を処理し、選択されたＩＥＥＥ８０２．１１，８０２．１１ａ，及び８０２．１１ｂ，及びホームＲＦプロトコルの一つに従って送信データをパッケージ化する。ここで、受信及び送信信号処理ブロック４０４ｂ及び４０６ｂは、受信信号を処理し、ブルートゥースプロトコルに従って送信データをパッケージ化する。
【００２５】
別の実施例では、選択されたＩＥＥＥ８０２．１１，８０２．１１ａ，及び８０２．１１ｂ，及びホームＲＦプロトコルの一つへのサポートは、ダイナミックに選択され得る。この実施例では、受信及び送信信号処理ブロック４０４ａ及び４０６ａのうちの多数が提供され、そして、スイッチングマトリックスを介して、Ａ／Ｄ及びＤ／Ａコンバータ４０８ａ及び４１０ａに結合される。
【００２６】
図５ａ−５ｃを参照する。ここで、一つの具体例に従って、Ｃ／ＳＰ部１０６の制御器サブセクション５００が更に詳細に説明される。図５ａに示されるように、制御器部５００は、プロセッサ５０２及びメモリ５０４を含む。図２を参照して記載されるようなタイムシェアリングモードの動作のために、メモリ５０４には、Ｃ／ＳＰ部１０６とトランシーバ１０２の信号処理サブセクションの受信及び送信処理動作の、より早い記述制御を実現するために、プロセッサ５０２によって実行されるべき、プログラミング命令５０６が含まれる。
【００２７】
図５ｂに記載されるように、５１２において、プロセッサ５０２（プログラミング命令５０６を実行する）は、第１の信号アップ／ダウンコンバージョンの組１０５ｂの信号アップコンバージョン・サブセクション３１４ｂを除外して、第１の信号アップ／ダウンコンバージョンの組１０５ａの信号アップコンバージョンサブセクション３１４ａが、結合された信号送信／受信部１０３に結合されるようにする。同時に、プロセッサ５０２は、受信信号処理ブロック４０４ａ及び４０４ｂが、一時的に、ダウンコンバージョン・サブセクション３１４あ−３１４ｂによる処理信号出力を無視あるいは停止するようにする。５１４において、プロセッサ５０２は反復して、それがこのモードで十分の期間動作したか否か（即ち、期間Ｔ１に対する経過時間がｔ１に到達したか否か）を判断する。結局、それがこのモードで適切な期間動作したとの判断によって、処理は５１６で継続する。
【００２８】
５１６で、プロセッサ５０２は、第１及び第２の信号アップ／ダウンコンバージョンの組１０５ａ−１０５ｂの双方の信号アップコンバージョン・サブセクション３１４ａ−３１４ｂが、結合された信号送信／受信部１０３から分離され、それによって、いずれのプロトコルの下でも信号が送信されるのを防ぐようにする。更に、プロセッサ５０２は、受信信号処理ブロック４０４ａ及び４０４ｂが、ダウンコンバージョン・サブセクション２１４ａ−３１４ｂによって信号出力の処理を再開し、それによって、双方のプロトコルで受信された信号が、同時に処理され受信されるようにする。５１８で、プロセッサ５０２は、反復して、それがこのモードで十分な期間だけ動作したかか否か（即ち、期間Ｔ２に対する経過時間がｔ２に到達したか否か）を判断する。結局、それがこのモードで適切な期間だけ動作したという判断によって、処理は５２０で継続する。
【００２９】
５２０において、プロセッサ５０２は、第２の信号アップ／ダウンコンバージョンの組１０５ｂの信号アップコンバージョン・サブセクション３１４ｂが、第１の信号アップ／ダウンコンバージョンの組１０５ａの信号アップコンバージョン・サブセクション３１４ａを除外して、結合信号送信／受信部１０３に結合されるようにする。同時に、プロセッサ５０２は、受信信号処理ブロック４０４ａ及び４０４ｂが、一時的に、ダウンコンバージョン・サブセクション３１４ａ−３１４ｂによる処理信号出力を無視あるいは停止するようにする。５２２において、プロセッサ５０２は、反復して、それがこのモードで十分な期間動作したかか否か（即ち、期間Ｔ３に対する経過時間がｔ３に到達したか否か）を判断する。結局、それがこのモードで適切な期間動作したという判断に基づいて、処理は５２４及び５２６で継続する。
【００３０】
５２４及び５２６で、プロセッサは、５１６と５１８について既に記述されたのと同じ機能を実行する。結局、それがこのモードで、期間Ｔ４で時間ｔ４だけ動作したという決定に基づいて、処理は５１２で継続する。
【００３１】
図５ａを参照する。図示された実施例について、メモリ５０４が、期間値ｔ１−ｔ４を記憶するためにも用いられ、期間の長さＴ１−Ｔ４をプログラム可能とする。更に、以下で説明され、図５ｃで示されるように、プログラミング命令５０６はまた、適応的にそれらの値を調整されうる機能を備える。図５ｃを参照する。５３２−５３４で、プロセッサは、各プロトコルの送信及び受信パケットをモニタし、検出すると、２つの負荷カウンタ（それぞれのプロトコルに従って一つ）をアップデートする。５３６にて、プロセッサは、モニタの周期が経過したか否かを判断する。周期は事前にプログラムされるか、あるいは、例えばプログラマブルな構成のレジスタ（図示せず）を通じて提供され得る。動作５３２−５３４は、モニタリング周期が終了するまで反復される。そのような時間において、処理は５３８で継続する。ここで、プロセッサ５０２は、２つのプロトコルに対する、蓄積された負荷データを分析し、少なくとも部分的に、２つのプロトコルに対する観察された負荷に基づいて、適応的に、周期Ｔ１−Ｔ４に対する期間の値ｔ１−ｔ４を調整する。調整は、直接比例手法（ｓｔｒａｉｇｈｔ ｆｏｒｗａｒｄ ｐｒｏｐｏｒｔｉｏｎａｌ ｍａｎｎｅｒ）あるいは、ヒューリスティックなアプローチのいずれか一つを採用することによってなされ得る。
【００３２】
調整を行った上で、一つの実施例では、プロセッサ５０２はモニタリングを即座に再開する。別の実施例で、プロセッサ５０２は、予め決定された、あるいはダイナミカルに決定された期間だけ待った後に、モニタリングを再開する。代替として、それはまた、呼び出されたときだけ再開し得る。
【００３３】
図６を参照する。ここで、別の実施例による本発明の概略が示される。図示のように、先に説明された図１を参照する実施例と同様に、本発明のワイヤレストランシーバ１０２’とともに、ワイヤレス装置１１０’が提供され、第１及び第２のワイヤレス通信プロトコルに従って、共同作用を持つやり方で、信号をワイヤレスで送信し、受信し、装置１００’が、ワイヤレスネットワーク１０８ａ及び１０８ｂの装置１０４ａ及び装置１０４ｂと、実質的に同時に、通信することを可能とする。図１の実施例と同様に、ワイヤレストランシーバ１０２’は、結合された信号送信／受信部１０３を含む。しかし、図１の実施例とは異なり、第１と第２の信号ダウンコンバージョン部１０５ｃ−１０５ｄ、及び、結合信号送信／受信部１０３を共有する共通信号アップコンバージョンユニット１０５ｅとともに、ワイヤレス装置１００’が提供される。図１の実施例のように、ワイヤレス装置１００’は、更に、制御器／信号処理（Ｃ／ＳＰ）部１０６を含み、ワイヤレストランシーバ１０２’によって送信するためにデータを処理することによって、ワイヤレストランシーバ１０２’によって受信された信号を処理し、データ／信号処理動作及びワイヤレストランシーバ１０２’の動作を制御する。一つの実施例では、Ｃ／ＳＰ部１０６は、データ／信号処理動作及びワイヤレストランシーバ１０２’を、上述のように、同期が取れ、共同作用を持つやり方で制御する。
【００３４】
図７は、一つの具体例による、トランシーバ１０２’の更なる詳細を示す。結合された送信／受信部１０３は、上述のものと同様に構成される。各信号ダウンコンバージョン部１０５ｃ／１０５ｄは、また、先行技術と同様に構成され、上述の信号ダウンコンバージョンサブセクション３１４ａ／３１４ｂのように機能する。共通の信号アップコンバージョン部１０５ｅは、信号アップコンバージョン・サブセクション３１６ａ及び３１６ｂの双方の機能を与える。
【００３５】
既に述べたように、ダウンコンバージョン部１０５ｃ−１０５ｄは、結合された信号送信／受信部１０３に、スプリッタ３１０を介して並列に結合される。即ち、フィルタ３０８ａによる受信信号出力が、それらのそれぞれの関心の対象の周波数のダウンコンバージョンのために、ダウンコンバージョン部１０５ｃ−１０５ｄの双方に供給され、異なる周波数あるいはプロトコルで送信された受信信号が同時に受信されることを許容する。共通アップコンバージョン部１０５ｅの場合には、それは、スイッチ３１２を介して、Ｃ／ＳＰ１０６の送信信号処理部に選択的に結合される。即ち、２つのプロトコルの送信信号は、送信の準備のために、他を排除した状態で２つの周波数の一つで動作するアップコンバージョン部１０５ｅを通じて、フィルタ３０８ｂに供給され、結果として、いずれかの一時点で送信されている、関心の対象である一つの周波数（あるいはプロトコル）からの信号だけををもたらす。
【００３６】
Ｃ／ＳＰ１０６は、図４を参照した上述のものと同様に構成され、図５ａを参照した上述のものと同様に構成される、制御器サブセクション５００を含む。しかし、この別の実施例での、制御サブセクション５００の動作フローは、図８に示されるように若干異なる。
【００３７】
８１２で、（プログラミング命令５０６を実行する）プロセッサ５０２は、信号アップコンバージョン部１０５ｅが、（第２のプロトコルのための）送信信号処理サブセクション４０６ａを排除して、（第１のプロトコルのための）信号処理部４００の送信信号処理サブセクション４０６ｅに結合されるようにする。同時に、プロセッサ５０２は、一時的に、受信信号処理ブロック４０４ａ及び４０４ｂが、ダウンコンバージョン・サブセクション１０５ｃ−１０５ｄによる処理信号出力を無視あるいは停止するようにする。８１４で、プロセッサ５０２は反復して、それがこのモードで十分な期間動作したか否か（即ち、周期Ｔ１に対する経過時間がｔ１に到達したか否か）を判断する。結局、それがこのモードで適切な期間だけ動作したとの判断に基づいて、処理は８１６で継続する。
【００３８】
８１６で、プロセッサ５０２は、信号アップコンバージョン部１０５ｅが、信号処理部４００の送信信号処理サブセクション４０６ａ及び４０６ｂの双方から分離されるようにし、それによって、いずれのプロトコル化でも信号が送信されることを避ける。更に、プロセッサ５０２は、受信信号処理ブロック４０４ａ及び４０４ｂが、ダウンコンバージョン部１０５ｃ−１０５ｄによる処理信号出力を再開し、それによって、双方のプロトコルで受信された信号が同時に処理され、受信されることを許容するようにする。８１８で、プロセッサ５０２は、反復して、それがこのモードで十分な期間だけ動作したかか否か（即ち、周期Ｔ２に対する経過時間がｔ２に到達したかか否か）を判断する。結局、それがこのモードで適切な期間だけ動作したという判断に基づいて、処理は８２０で継続する。
【００３９】
８２０にて、プロセッサ５０２は、信号アップコンバージョン部１０５ｅが、（第１のプロトコルのための）送信信号処理サブセクション４０６ｂを除外して、（第２のプロトコルのための）信号処理部４００の送信信号処理サブセクション４０６ａに結合されるようにする。同時に、プロセッサ５０２は、受信信号処理ブロック４０４ａ及び４０４ｂが、一時的に、ダウンコンバージョン部１０５ｃ−１０５ｄによる処理信号出力を無視あるいは停止するようにする。８２２にて、プロセッサ５０２は、反復して、それがこのモードで十分な期間だけ動作したか否か（即ち、周期Ｔ３に対する経過時間がｔ３に達したか否か）を判断する。結局、それが、このモードで適切な期間だけ動作したという判断に基づいて、処理は８２４と８２６で継続する。
【００４０】
８２４と８２６で、プロセッサは、８１６と８１８で上述したものと同じ機能を実行する。結局、それがこのモードで周期Ｔ４で時間ｔ４だけ動作したという判断に基づいて、処理は８１２で継続する。
【００４１】
従って、実質的にマルチプルワイヤレス通信プロトコルで容易に動作するようなワイヤレス装置が説明された。本発明は、図示された実施例に関連して記述されてきたが、当業者は、本発明は、記載された実施例に限定されないことを理解するであろう。本発明は、添付した特許請求の範囲の精神と視野の範囲内で、修正、変更されて、実施され得る。従って、発明の詳細な説明の記述は、本発明の限定の目的ではなく、説明の目的を持つとして理解されるべきである。
【図面の簡単な説明】
【図１】
一つの実施例による、本発明のワイヤレス装置概略図。
【図２】
一つの実施例による、本発明のワイヤレス装置の動作周期図。
【図３】
一つの具体例による、図１のワイヤレス装置のトランシーバの詳細図。
【図４】
一つの具体例による、図１のワイヤレス装置の制御器／信号処理セクションの信号処理サブセクションの詳細図。
【図５Ａ】
一つの具体例による、図１の制御器／信号処理セクションの制御器サブセクションの詳細図。
【図５Ｂ】
一つの具体例による、図１の制御器／信号処理セクションの制御器サブセクションの詳細図。
【図５Ｃ】
一つの具体例による、図１の制御器／信号処理セクションの制御器サブセクションの詳細図。
【図６】
他の実施例による、本発明の概略図。
【図７】
一つの具体例による、図６のワイヤレス装置のトランシーバの詳細図。
【図８】
一つの具体例による、図６の制御器／信号処理セクションの制御器サブセクションの詳細図。
【符号の説明】
１００  ワイヤレス通信装置
１００’ワイヤレス通信装置
１０２  トランシーバ
１０２’トランシーバ
１０３  結合された送信／受信部
１０４ａ  装置
１０４ｂ  装置
１０５ａ  第１のアップ／ダウンコンバージョンの組
１０５ｂ  第２のアップ／ダウンコンバージョンの組
１０５ｃ  第１のダウンコンバージョン
１０５ｄ  第２のダウンコンバージョン
１０５ｅ  共通アップコンバージョン
１０６  制御及び信号処理部
１０８ａ  ワイヤレスネットワークプロトコルＡ
１０８ｂ  ワイヤレスネットワークプロトコルＢ
３０２  スイッチャー
３０４  ローノイズアンプ
３０６  パワーアンプ
３０８ａ  フィルタ
３０８ｂ  フィルタ
３１０  スプリッタ
３１２  スイッチ
３１４ａ  第１のダウンコンバージョン（ＩＦ）
３１４ｂ  第２のダウンコンバージョン（ＩＦ）
３１６ａ  第１のアップコンバ−ジョン（ＲＦ）
３１６ｂ  第２のアップコンバ−ジョン（ＲＦ）
４０２  メモリ
４０４ａ  受信信号処理（ベースバンド）第１のプロトコル
４０４ｂ  受信信号処理（ベースバンド）第２のプロトコル
４０６ａ  送信信号処理（ベースバンド）第２のプロトコル
４０６ｂ  送信信号処理（ベースバンド）第１のプロトコル
５０２  プロセッサ
５０４  メモリ
５０６  命令
【図１】
2004518308.tif 000003
【図２】
2004518308.tif 000004
【図３】
2004518308.tif 000005
【図４】
2004518308.tif 000006
【図５Ａ】
2004518308.tif 000007
【図５Ｂ】
2004518308.tif 000008
【図５Ｃ】
2004518308.tif 000009
【図６】
2004518308.tif 000010
【図７】
2004518308.tif 000011
【図８】
2004518308.tif 000012
【国際公開パンフレット】
2004518308.tif 000013
2004518308.tif 000014
2004518308.tif 000015
2004518308.tif 000016
2004518308.tif 000017
2004518308.tif 000018
2004518308.tif 000019
2004518308.tif 000020
2004518308.tif 000021
2004518308.tif 000022
2004518308.tif 000023
2004518308.tif 000024
2004518308.tif 000025
2004518308.tif 000026
2004518308.tif 000027
2004518308.tif 000028
2004518308.tif 000029
2004518308.tif 000030
2004518308.tif 000031
2004518308.tif 000032
2004518308.tif 000033
2004518308.tif 000034
2004518308.tif 000035
2004518308.tif 000036
2004518308.tif 000037
2004518308.tif 000038
2004518308.tif 000039
2004518308.tif 000040
2004518308.tif 000041
2004518308.tif 000042
2004518308.tif 000043
【国際公開パンフレット（コレクトバージョン）】
2004518308.tif 000044
2004518308.tif 000045
2004518308.tif 000046
2004518308.tif 000047
2004518308.tif 000048
2004518308.tif 000049
2004518308.tif 000050
2004518308.tif 000051
2004518308.tif 000052
2004518308.tif 000053
2004518308.tif 000054
2004518308.tif 000055
2004518308.tif 000056
2004518308.tif 000057
2004518308.tif 000058
2004518308.tif 000059
2004518308.tif 000060
2004518308.tif 000061
2004518308.tif 000062
2004518308.tif 000063
2004518308.tif 000064
2004518308.tif 000065
2004518308.tif 000066
2004518308.tif 000067
2004518308.tif 000068
2004518308.tif 000069
2004518308.tif 000070
2004518308.tif 000071
2004518308.tif 000072
2004518308.tif 000073
2004518308.tif 000074
2004518308.tif 000075
【国際調査報告】
2004518308.tif 000076
2004518308.tif 000077
2004518308.tif 000078